(57)【要約】【課題】  照明具からの熱や光による商品の劣化がなく、棚板の配置変更や照明具のメンテナンスが容易な構成を備えた商品陳列棚を提供する。【解決手段】  片面に所定の光拡散パターンを印刷した透明板状部材の端面に、所定の間隔で配列された発光ダイオードを光源とする照明手段を嵌着して、透明板状部材の端面と発光ダイオードの発光端を対面配置した棚板又は枠板を用いる。【選択図】  図１
2006318789.tif 000002
【特許請求の範囲】
【請求項１】
片面に所定の光拡散パターンを印刷した透明板状部材と、所定の間隔で配列された発光ダイオードを光源とする照明手段からなり、前記透明板状部材の端面に前記照明手段を嵌着し、前記端面と前記発光ダイオードの発光端を対面配置して一体構成した棚板又は枠板を有する商品陳列棚。
【請求項２】
前記照明手段を前記透明板状部材の複数箇所の端面に嵌着してあること
を特徴とする請求項１の商品陳列棚。
【請求項３】
前記照明手段の発光ダイオードは、前記透明板状部材の光拡散パターンに対して所定の角度で光が入射するように配置してあること
を特徴とする請求項１、２の商品陳列棚。
【発明の詳細な説明】
【技術分野】
【０００１】
本発明は、商品陳列棚に関するものである。詳しくは、陳列する商品などを照らし出す照明具を備えた棚板や枠板を有する商品陳列棚に関するものである。
【背景技術】
【０００２】
従来技術において、商品陳列棚に陳列する商品などを効果的に演出するため、照明具によって商品などを照らし出すことが行われており、棚板に照明具を取り付けた商品陳列棚も存在している。
【０００３】
例えば、商品陳列棚におけるいずれかの棚板の下面の前部に照明灯を取り付け、その直上部分に横長のスリットを設けるとともに、照明灯から上方に照射された光を棚板上の後方に偏向させる横長のプリズムの前後部に設けた凹入段部をこのスリットの前後縁に係合させるようにして、上方より嵌合することにより、棚板上の商品を前下方から照らして商品などの演出効果を高めることができるようにした商品陳列装置における棚板照明装置などが考案されている（特許文献１参照）。
【特許文献１】特開２００３−２７５０８０号公報（第３頁、図１−３）
【発明の開示】
【発明が解決しようとする課題】
【０００４】
しかしながら、上述したような商品陳列棚の照明には、主に蛍光灯が使用されているため、蛍光灯の長さによって棚板や棚全体のサイズが限定されてしまい、また、棚板に照明具自体を取り付けると、構造が複雑になり、棚板全体も大きくなってしまうため、棚板の配置変更が難しく、又、照明具のメンテナンスも容易でないという問題がある。
【０００５】
また、白熱灯や蛍光灯などを使用した照明具は、光源が発する熱で商品が変形したり、光源からの光に含まれる紫外線などによって商品が劣化するというような問題もある。
【０００６】
従って、照明具からの熱や光による商品の劣化がなく、棚板の配置変更や照明具のメンテナンスが容易な構成を備えた商品陳列棚を提供することに解決しなければならない課題を有する。
【課題を解決するための手段】
【０００７】
前記課題を解決するため、本発明に係る商品陳列棚は、片面に所定の光拡散パターンを印刷した透明板状部材の端面に、所定の間隔で配列された発光ダイオードを光源とする照明手段を嵌着して、透明板状部材の端面と発光ダイオードの発光端を対面配置した棚板又は枠板を用いる。
【０００８】
このような構成の棚板又は枠板を用いた商品陳列棚により、所定の間隔で配列された発光ダイオードから発せられる光が透明板状部材の端面から入射し、透明板状部材の片面に印刷してある所定の光拡散パターンによって入射光が拡散されて板面上に陳列される商品を照らし出す。
【発明の効果】
【０００９】
本発明の商品陳列棚に使用する棚板や枠板は、片面に光拡散パターンを印刷した透明板状部材の端面に、配列した発光ダイオードを光源とする照明具を対面するように配置して一体化してあるので、棚板の配置変更も容易になり、メンテナンスの手間も大幅に低減し、照明具を棚板や枠板の大きさに合わせて作成することも可能となるという優れた効果を奏するものである。
【００１０】
また、発光ダイオードを光源とした照明具を使用しているため、白熱灯や蛍光灯などを光源とする照明具と比べて、（１）小型で軽量である、（２）熱がほとんど発生しないので、陳列商品に対する熱の影響が小さい、（３）消費電力が小さく、省電力化を図ることができる、（４）寿命が長く、取り扱いも容易でメンテナンスに手間がかからない、（５）紫外線が含まれていないため、商品に虫が寄らず、色あせや劣化を防止することができる、というメリットがある。
【００１１】
更に、様々な色の光を発する発光ダイオードがあるので、これらを自在に組み合わせることにより商品の演出効果を向上させることが可能となり、また、商品名やロゴマークなどを印刷した透明板を枠板に使用することによって商品陳列棚自体を広告宣伝用の看板などとして利用することもできる。
【発明を実施するための最良の形態】
【００１２】
次に、本発明の商品陳列棚による実施の形態について図面を参照して説明する。但し、図面は専ら解説のためのものであって、本発明の技術的範囲を限定するものではない。
【実施例】
【００１３】
図１は、本発明の商品陳列棚に使用する棚板を例示したもので、（ａ）は平面図、（ｂ）は正面図、（ｃ）は底面図であり、棚板１００は、透明板状部材１０と照明具２０から構成されている。
【００１４】
透明板状部材１０は、例えば、アクリル樹脂板などの透明な板状部材であり、図１（ｃ）の底面図が示すように、透明板状部材１０の片面には、照明具２０から発せられる光を拡散させるための光拡散パターン１１がスクリーン印刷などによって印刷してある。
【００１５】
照明具２０は、図１（ａ）及び（ｂ）が示すように、発光ダイオード２１（以下、ＬＥＤ２１）が所定の間隔で配列された基板２２が、透明板状部材１０の端面１０ａとＬＥＤ２１の先端（発光端）が対面配置となるように組み込まれている。
【００１６】
なお、ＬＥＤ２１（発光ダイオード）には、赤，緑，青，黄，白，紫，青緑など様々な色の光を発する発光ダイオードがあるので、これらを適当に組み合わせて使用することにより所望の照明効果を得ることが可能となる。
【００１７】
図２（ａ）は、照明具２０の回路図を簡略化して例示した図であり、図２（ｂ）は、この回路図に基づいて、ＬＥＤ２１を所定の間隔で配列するための基板２２の回路パターンを例示したものである。なお、回路図及び基板は、図２に限定されるものではない。
【００１８】
図２におけるＤ１〜Ｄ２９はＬＥＤ２１、Ｒ１〜Ｒ５は抵抗器、Ｚ１は整流器（ダイオードブリッジ）であり、端子Ｐ１〜Ｐ４、端子Ｊ１〜Ｊ４は、交流電源又は他の基板２２の配線を接続するための接続端子である。
【００１９】
図２（ａ）で例示した回路図（図２（ｂ）の基板２２）では、ＬＥＤ２１（Ｄ１〜Ｄ２９）と抵抗器Ｒ１〜Ｒ５と整流器Ｚ１が、整流器Ｚの端子４（−）→「Ｄ１〜Ｄ５」→「Ｒ１」→「Ｄ６〜Ｄ１０」→「Ｒ２」→「Ｄ１１〜Ｄ１５」→「Ｒ３」→「Ｄ１６〜Ｄ２０」→「Ｒ４」→「Ｄ２１〜Ｄ２９」→整流器Ｚの端子３（＋）の順で直列に接続してあり、交流電源を接続端子Ｐ３及びＰ４に接続すると、端子１，端子２に供給される交流電力が整流器Ｚで直流に変換されて、端子３，端子４を介してＬＥＤ２１（Ｄ１〜Ｄ２９）及び抵抗器Ｒ１〜Ｒ５に供給される。
【００２０】
なお、この基板２２に別の棚板の基板を接続する場合、端子Ｐ１，Ｐ２又は、Ｊ１，Ｊ２に接続すれば、整流器Ｚで直流に変換された電力が供給され、端子Ｊ３，Ｊ４に接続すれば、交流の電力が供給される。
【００２１】
次に、棚板１００を構成する透明板状部材１０と照明具２０の取り付け構造について説明する。図３は、透明板状部材１０に対する照明具２０の取り付け構造を模式的に示した図である。
【００２２】
照明具２０は、図３（ａ）に示すように、本体２０ａ、底面板２０ｂ、側面板２０ｃ、側面板２０ｄ（図示せず）から構成されている。
【００２３】
本体２０ａには、上述したようなＬＥＤ２１が所定の間隔で配列されている基板２２が組み込まれており、透明板状部材１０の一端を挿嵌できるように、一方が長いコの字形状になっており、底面板ｂ、側面板ｃ（及び側面板ｄ）を取り付けるためのネジ止め孔が所定位置に設けられている。
【００２４】
底面板２０ｂには、基板２２（ＬＥＤ２１）に電力を供給したり、他の基板２２からの配線を接続するコネクタを現出させるためのコネクタ接続口２０ｅを有し、底面板ｂを取り付けるためのネジ止め孔が所定位置に設けられている。また、側面板ｃ（及び側面板ｄ）には、本体２０ａとの接続用のネジ止め孔が所定位置に設けられている。
【００２５】
一方、透明板状部材１０にも、照明具２０の本体２０ａや底面板２０ｂとの接続用のネジ止め孔が所定位置に設けられている。
【００２６】
このような照明具２０の本体２０ａに透明板状部材１０の一端を嵌入し、嵌入した透明板状部材１０の底面と底面板２０ｂを接続（ネジ止め）し、本体２０ａに底面板２０ｂと側面板２０ｃ（及び側面板２０ｄ）を接続（ネジ止め）することにより、図３（ｂ）に示すように、透明板状部材１０の一端を照明具２０の本体２０ａと底面板２０ｂによって挟み込んで一体化した棚板１００となる。
【００２７】
なお、棚板１００は、透明板状部材１０と照明具２０が一体となるように取り付けられていれば、上述した取り付け構造に限定されるものではない。また、本実施例では、照明具２０が透明板状部材１０の一辺すべてを覆うように嵌着してあるが、透明板状部材１０の一辺に部分的に嵌着するような照明具２０であってもよい。
【００２８】
図４は、棚板１００を側面からみたときの状態を模式化して図示ものであり、図４（ａ）のように、照明具２０が透明板状部材１０の端面１０ａを上下両面から挟んで嵌め込まれた状態で取り付けられ、ＬＥＤ２１の先端（発光端）と透明板状部材１０の端面１０ａが対面するように配置された状態となる。
【００２９】
このような棚板１００に取り付けられている照明具２０で照明をオンにすると、照明具２０に組み込まれているＬＥＤ２１から発せられる光が透明板状部材１０に印刷してある所定の光拡散パターン１１で拡散されて棚板面を照らし出す。
【００３０】
なお、照明具２０を複数の端面、例えば、図４（ｂ）に示すように、透明板状部材１０の端面１０ａ、端面１０ｂに対して取り付ける、また、図４（ｃ）に示すように、ＬＥＤ２１を透明板状部材１０の端面１０ａに対して角度をつけて取り付けることにより、光の入射角度を変化させたり、図４（ｄ）に示すように、基板２２に複数個のＬＥＤ２１ａ、ＬＥＤ２２ｂを取り付けることによって照明効果を向上させることも可能である。
【００３１】
また、上記棚板１００と同様、透明板状部材の端面に照明具を嵌着する構造を、商品陳列棚の枠板（背面板、側面板など）に適用し、透明板状部材の片面に所定の発光パターンにより商品名やロゴマークなどをスクリーン印刷しておくことで、広告宣伝用の看板などとして利用することも可能となる。
【図面の簡単な説明】
【００３２】
【図１】本発明に係る商品陳列棚の棚板（又は枠板）の構成を例示した説明図である。
【図２】図１に示す商品陳列棚の棚板（又は枠板）における照明具の回路構成を説明するための説明図である。
【図３】図１に示す商品陳列棚の棚板（又は枠板）における透明板状部材と照明具の取り付け構造を説明するための説明図である。
【図４】本発明に係る商品陳列棚の棚板（又は枠板）の構造を模式的に示した説明図である。
【符号の説明】
【００３３】
１００；棚板
１０；透明板状部材
１０ａ；端面
１１；光拡散パターン
２０；照明具
２０ａ；本体
２０ｂ；底面板
２０ｃ；側面板
２１；ＬＥＤ（発光ダイオード）
２２；基板
Ｄ１〜Ｄ２９；ＬＥＤ
Ｒ１〜Ｒ５；抵抗器
Ｚ１；整流器（ダイオードブリッジ）
Ｐ１〜Ｐ４；接続端子
Ｊ１〜Ｊ４；接続端子
【図１】
2006318789.tif 000003
【図２】
2006318789.tif 000004
【図３】
2006318789.tif 000005
【図４】
2006318789.tif 000006